(57)【特許請求の範囲】
【請求項１】
上側にボード層を備えると共に下側に定着層を備えた防水下地に、前記ボード層の上に配置される防水シートを固定する固定具を、互いに螺合自在な雄ネジ部材と定着用雌ネジ部材とからなる固定ネジ部材で取り付ける固定具設置方法であって、
前記定着用雌ネジ部材を挿入自在な挿入穴を、前記防水下地に形成する穴形成工程と、
前記挿入穴の中に定着用の接着材を入れる接着材充填工程と、
前記挿入穴より大径の鍔状部を備えた吊り支持部材の下部に、前記定着用雌ネジ部材を取り付けた状態で、前記接着材が硬化する前に、前記定着用雌ネジ部材を前記挿入穴内に挿入し、前記接着材に前記定着用雌ネジ部材を沈める挿入工程と、
前記吊り支持部材で前記定着用雌ネジ部材を所定の深度に吊り支持したまま前記定着層に定着させる定着工程と、
前記定着層に定着した前記定着用雌ネジ部材から前記吊り支持部材を取り外して、前記吊り支持部材を前記挿入穴から抜く取外し工程と、
雄ネジ部材を前記挿入穴に挿入して前記定着層に定着した前記定着用雌ネジ部材に螺合させて、前記固定具を前記ボード層上に取り付ける取付工程と、を備えた固定具設置方法。
【請求項２】
前記挿入工程において、前記定着用雌ネジ部材を前記挿入穴に挿入する前に、前記定着用雌ネジ部材の雌ネジ部への前記接着材の浸入を防ぐシール材を、前記吊り支持部材と前記定着用雌ネジ部材とにわたって設けておく請求項１に記載の固定具設置方法。
【請求項３】
前記吊り支持部材は、前記雄ネジ部材である請求項１又は２に記載の固定具設置方法。
【発明の詳細な説明】
【技術分野】
【０００１】
本発明は、表面側にボード層（例えば、断熱ボードや耐火ボード等）を備えると共に裏面側に定着層（例えば、ＡＬＣ板やコンクリート板等）を備えた防水下地に、前記ボード層の上に配置される防水シートを固定する固定具を取り付ける固定具設置方法に関する。
【背景技術】
【０００２】
防水下地上に配置される防水シートの固定には、複数の方法があるが、その一つには、図７に示すような、円盤状の固定金具３を固定ネジ部材２０で防水下地１に固定しておき、固定金具３の上面に防水シートＳの下面を接着することで固定する方法がある。
その際の、従来の、防水下地１への固定ネジ部材２０の設置方法としては、防水下地１の上からボード層１Ａを通して定着層１Ｂに、予め定着用の穴２１をあけておき、この穴２１内に、樹脂アンカー２２を挿入し、その樹脂アンカー２２に対して、雄ネジ部材で構成された固定ネジ部材２０をネジ込むことで、樹脂アンカー２２を拡径させて、穴２１の周壁２１ａと樹脂アンカー２２の外周面との摩擦力によって固定ネジ部材２０を定着させる方法があった（例えば、特許文献１参照）。
但し、この方法においては、前記穴２１に対する樹脂アンカー２２の挿入にあたって、樹脂アンカー２２が浅い位置で止まると、固定ネジ部材２０によって拡径されても表面側のボード層１Ａに樹脂アンカー２２の外周面が押し付けられることになり、変形の大きなボード層１Ａでは充分な定着力が得られないことから、樹脂アンカー２２を確実に定着層１Ｂまで挿入できるように工夫されていた。
【先行技術文献】
【特許文献】
【０００３】
【特許文献１】特開２００６−１６１３７３号公報（図５）
【発明の概要】
【発明が解決しようとする課題】
【０００４】
上述した従来の固定ネジ部材設置方法によれば、樹脂アンカーは、定着層に挿入できるものの、その後の固定ネジ部材のネジ込みに伴って、固定ネジ部材のネジの螺旋に沿って樹脂アンカーが引き抜き方向に移動する虞があり、ボード層まで移動すると、充分な定着力が得られなくなる問題点がある。
即ち、固定ネジ部材を樹脂アンカーに押し付けた状態で回転させるに伴って、固定ネジ部材と樹脂アンカーとの螺合が深まって互いが相対的に近接するわけであるが、樹脂アンカーは充分に拡径する前の段階においては、穴の周壁との摩擦力が小さい場合があり、固定ネジ部材の回転力が、ネジ螺旋から樹脂アンカーに揚力として作用する虞があり、その結果、樹脂アンカーは、定着層からボード層に引き抜かれた状態で定着されてしまう危険性がある。
【０００５】
従って、本発明の目的は、上記問題点を解消し、固定ネジ部材を、定着層に確実に定着させることができる固定具設置方法を提供するところにある。
【課題を解決するための手段】
【０００６】
本発明の第１の特徴構成は、上側にボード層を備えると共に下側に定着層を備えた防水下地に、前記ボード層の上に配置される防水シートを固定する固定具を、互いに螺合自在な雄ネジ部材と定着用雌ネジ部材とからなる固定ネジ部材で取り付ける固定具設置方法であって、
前記定着用雌ネジ部材を挿入自在な挿入穴を、前記防水下地に形成する穴形成工程と、前記挿入穴の中に定着用の接着材を入れる接着材充填工程と、前記挿入穴より大径の鍔状部を備えた吊り支持部材の下部に、前記定着用雌ネジ部材を取り付けた状態で、前記接着材が硬化する前に、前記定着用雌ネジ部材を前記挿入穴内に挿入し、前記接着材に前記定着用雌ネジ部材を沈める挿入工程と、前記吊り支持部材で前記定着用雌ネジ部材を所定の深度に吊り支持したまま前記定着層に定着させる定着工程と、前記定着層に定着した前記定着用雌ネジ部材から前記吊り支持部材を取り外して、前記吊り支持部材を前記挿入穴から抜く取外し工程と、雄ネジ部材を前記挿入穴に挿入して前記定着層に定着した前記定着用雌ネジ部材に螺合させて、前記固定具を前記ボード層上に取り付ける取付工程と、を備えたところにある。
【０００７】
本発明の第１の特徴構成によれば、防水下地に形成した挿入穴に接着材を入れて、定着用雌ネジ部材を吊り支持部材で支持する状態に沈めて定着層に定着させることで、固定ネジ部材としての固定反力を確保する定着用雌ネジ部材を、確実に定着層に定着させることができる。
即ち、定着用雌ネジ部材は、吊り支持部材によって吊り支持されるから、挿入穴内での所定の深度に位置でき、その状態を維持したまま、接着材によって確実に固定することができる。従って、挿入穴の深さが、所定の値より深くなったとしても、吊り支持部材によって定着用雌ネジ部材の穴内への脱落防止を図りながら所定の深度が維持されるので、その結果、挿入穴の形成作業において穿孔深度管理をラフに行えるようになり、施工管理の簡単化を図ることができる。
また、定着層の所定の深度に定着された定着用雌ネジ部材には、雄ネジ部材が螺合自在であるから、ボード層上に配置される防水シートを、雄ネジ部材と定着用雌ネジ部材とを介して、定着層に固定反力を確保した状態に、確実に固定することができる。
また、定着層に確実に定着された定着用雌ネジ部材に対して、雄ネジ部材は自由に着脱できるから、例えば、防水シートを改修するような場合には、定着用雌ネジ部材から雄ネジ部材を取り外すだけで、簡単に、防水シートの固定を解除することができる。更には、定着してある定着用雌ネジ部材は、新しい防水シートを固定するための雄ネジ部材を螺合させるものとして、そのまま再使用することができ、より簡単に、且つ、経済的に防水シートの改修を実施することができる。
【０００８】
本発明の第２の特徴構成は、前記挿入工程において、前記定着用雌ネジ部材を前記挿入穴に挿入する前に、前記定着用雌ネジ部材の雌ネジ部への前記接着材の浸入を防ぐシール材を、前記吊り支持部材と前記定着用雌ネジ部材とにわたって設けておくところにある。
【０００９】
本発明の第２の特徴構成によれば、挿入穴内に吊り支持部材と定着用雌ネジ部材とを沈める前に、吊り支持部材と定着用雌ネジ部材とにわたってシール材を設けておくから、挿入穴内に入れた接着材が、吊り支持部材と定着用雌ネジ部材との間から雌ネジ部に浸入するのを防止できる。
その結果、吊り支持部材と定着用雌ネジ部材とが接着材で接着されてしまい、取り外し難くなる問題を未然に防止できたり、雌ネジ部内で接着材が固まって雄ネジ部材の螺合の障害になる問題を未然に防止することができる。
よって、定着用雌ネジ部材に対する吊り支持部材や雄ネジ部材の着脱をスムースに効率よく実施できるようになる。
【００１０】
本発明の第３の特徴構成は、前記吊り支持部材は、前記雄ネジ部材であるところにある。
【００１１】
本発明の第３の特徴構成によれば、定着用雌ネジ部材を、接着材によって定着層に定着させた後、吊り支持部材を雄ネジ部材と取り替える手間が省け、固定ネジ部材の設置効率が向上する。
【図面の簡単な説明】
【００１２】
【図１】防水シートの敷設状況を示す斜視図
【図２】防水シートの敷設状況を示す断面図
【図３】固定ネジ部材設置方法を示す断面図
【図４】別実施形態の固定ネジ部材設置方法を示す断面図
【図５】別実施形態の固定ネジ部材設置方法を示す断面図
【図６】別実施形態の固定ネジ部材設置方法を示す断面図
【図７】従来の固定ネジ部材設置方法を示す断面図
【発明を実施するための形態】
【００１３】
以下に本発明の実施の形態を図面に基づいて説明する。尚、図面において従来例と同一の符号で表示した部分は、同一又は相当の部分を示している。
【００１４】
図１、図２は、本発明の固定ネジ部材設置方法の一実施方法によって、防水下地１に固定した固定ネジ部材２を使用して、防水シートＳが設置してある陸屋根Ｒ部分を示している。
【００１５】
前記防水シートＳは、防水性を有する合成樹脂製シート（例えば、軟質塩化ビニル）によって構成してあり、防水下地１の上に点在する状態に設置された円盤状の固定金具３を使用して固定されている。
詳しくは、固定金具３は、固定ネジ部材２を構成する雄ネジ部材２Ａと定着用雌ネジ部材２Ｂとで、防水下地１に固定してあり、その固定金具３の上面に、防水シートＳは接着されている。
【００１６】
前記固定金具３は、円板形状の薄い金属板を凹凸のある断面形状にプレス成形することで、軽量でありながら強度の高いものに構成してあり、中央部には、雄ネジ部材２Ａを挿通するネジ挿通孔３ａが形成してあり、その周りには、雄ネジ部材２Ａの拡径頭部２Ａａが納まる座繰り部３ｂが形成してある。従って、固定金具３を雄ネジ部材２Ａで防水下地１に固定した状態では、拡径頭部２Ａａが固定金具３の上面より上方へ突出しないように構成されている。
【００１７】
前記防水下地１は、コンクリート製の定着層１Ｂの上に、断熱ボードで構成したボード層１Ａを設けて構成してある。
前記定着層１Ｂは、前記固定ネジ部材２を固定できる強度を備えている。
前記ボード層１Ａは、例えば、イソシアネートのフォーム材で形成してあり、適度な強度と耐熱性と防水性とを備えている。無数の独立気泡が内在していることによって、高い防水性能と断熱性能とを発揮できるように構成してある。
【００１８】
前記固定ネジ部材２は、金属製で、前述のとおり、互いに螺合自在な雄ネジ部材２Ａと定着用雌ネジ部材２Ｂとで構成してあり、防水下地１の上からボード層１Ａと定着層１Ｂとにわたる状態に穿孔された挿入穴４内に挿入されて、挿入先端側に配置されている定着用雌ネジ部材２Ｂが、定着層１Ｂに定着される。
【００１９】
前記雄ネジ部材２Ａは、拡径頭部２Ａａが丸皿形状に形成されたボルトで構成してあり、ネジ部２Ａｂの下端側は、定着用雌ネジ部材２Ｂに螺合させてある。
前記定着用雌ネジ部材２Ｂは、外周部に、複数の節５が設けてあると共に、外周面の全般を細かな凹凸を備えた粗面仕上げにしてあり、挿通穴４内に充填されている接着材Ｖとの付着強度を向上できるように構成されている。
また、内周部には、前記雄ネジ部材２Ａのネジ部２Ａｂが螺合自在な雌ネジ部６が形成されている。
【００２０】
前記接着材Ｖは、例えば、エポキシ系の合成樹脂で構成してあり、前記固定ネジ部材２を定着層１Ｂに対して充分な強度をもって定着固定できる物性を備えている。
【００２１】
次に、防水下地１への固定ネジ部材２の設置方法について説明する。
［１］  図３（ａ）に示すように、ボード層１Ａの上から、例えば、ドリル等によって定着層１Ｂにわたる挿入穴４を穿孔し、穴内の穿孔滓を除去する。挿入穴４の外径は、定着用雌ネジ部材２Ｂの外径より若干大きな寸法に設定してある。
【００２２】
［２］  図３（ｂ）に示すように、挿入穴４内に、接着材Ｖを充填する。充填量は、後から挿入穴４に定着用雌ネジ部材２Ｂを挿入した状態で、接着材Ｖの上面が、定着層１Ｂの上面に略一致する程度に設定するのが好ましい。
【００２３】
［３］  定着用雌ネジ部材２Ｂの雌ネジ部６に、挿入穴４の中に定着用雌ネジ部材２Ｂを吊り支持するための金属製の吊り支持用ボルト（吊り支持部材の一例）７を取り付ける。
吊り支持用ボルト７の拡径頭部の下方には、挿入穴４より大径の鍔部材８が外嵌させてあり、ボルト下端部に螺合させた定着用雌ネジ部材２Ｂを挿入穴４の中に沈めた状態で、ボード層１Ａの挿入穴４周りにこの鍔部材８を載置することで、定着用雌ネジ部材２Ｂを吊り支持できるように構成してある（図３（ｂ）参照）。
【００２４】
［４］  挿入穴４内に、吊り支持用ボルト７を上に取り付けた定着用雌ネジ部材２Ｂを挿入して、図３（ｂ）に示すように、定着用雌ネジ部材２Ｂが定着層１Ｂと同じ深度に位置するように吊り支持用ボルト７で吊り支持したまま接着材Ｖが固まるまで保持する。
【００２５】
［５］  吊り支持用ボルト７を外す方向に回転させて定着用雌ネジ部材２Ｂから取り外せば、定着用雌ネジ部材２Ｂの定着が完了する。後は、図３（ｃ）に示すように、挿入穴４の上に固定金具３を配置すると共に、固定金具３のネジ挿通孔３ａを通して雄ネジ部材２Ａを挿入穴４内に挿入し、定着用雌ネジ部材２Ｂに螺合させ、拡径頭部２Ａａが固定金具３の座繰り部３ｂに納まるように螺進させて固定金具３を防水下地１に固定して、その上から防水シートＳを配置すると共に、固定金具３に接着することで、防水下地１上に防水シートＳを敷設することができる。
【００２６】
本実施形態の固定ネジ部材設置方法によれば、定着用雌ネジ部材２Ｂを、確実に定着層１Ｂに定着させることができ、その定着用雌ネジ部材２Ｂに固定反力を確保した状態に、防水シートＳを固定することができる。
また、例えば、防水シートの改修にあたっては、定着用雌ネジ部材２Ｂから雄ネジ部材２Ａを取り外すだけで、簡単に、防水シートＳの固定を解除することができ、更には、定着してある定着用雌ネジ部材２Ｂは、新しい防水シートＳを固定するための雄ネジ部材２Ａを螺合させるものとして、そのまま再使用することができ、より簡単に、且つ、経済的に防水シートの改修を実施することも可能となる。
【００２７】
〔別実施形態〕
以下に他の実施の形態を説明する。
【００２８】
〈１〉  防水下地１は、先の実施形態で説明したイソシアネートのフォーム材で構成したボード層１Ａと、コンクリート製の定着層１Ｂに限るものではなく、他の材質によって構成してあってもよい。
【００２９】
〈２〉  吊り支持部材７は、先の実施形態で説明した金属製の吊り支持用ボルトに限るものではなく、例えば、合成樹脂で形成してあってもよい。また、鍔部材８と別体に構成してあることに限らず、一体に形成してあってもよい。
また、鍔部材８については、先の実施形態で説明したように、防水下地１の上面に当接して吊り支持用ボルト７（及び定着用雌ネジ部材２Ｂ）が挿入穴４内に落ち込むのを防ぐ機能のみを備えたものに限るものではなく、例えば、図４に示すように、挿入穴４の開口部に内嵌する内嵌部８ａを備え、この内嵌部８ａが、挿入穴４に内嵌することで、挿入穴内での径方向の位置決めを行える機能を付加してあってもよい。内嵌部８ａによれば、挿入穴４の中心軸上に固定ネジ部材２を配置することが可能となる。
【００３０】
〈３〉  また、吊り支持部材７は、先の実施形態で説明した吊り支持用ボルトに替えて、図５に示すように、雄ネジ部材２Ａによって構成してあってもよく、この場合は、吊り支持用ボルトを取り外して雄ネジ部材２Ａに着け替える手間を省くことができ、より効率的に、防水シートＳの敷設作業を実施することができる。雄ネジ部材２Ａは、固定金具３によって拡径頭部２Ａａが支持され、定着用雌ネジ部材２Ｂを吊り支持することができる。
また、図には示さないが、吊り支持部材７は、例えば、針金等によって定着用雌ネジ部材７を脱着自在に係止して吊り支持するものであってもよい。
【００３１】
〈４〉  また、吊り支持部材７が、何れの構成であっても、定着用雌ネジ部材２Ｂとの間に、図６に示すように、シール材９を設けておくことが好ましい。
シール材９は、ゴム等の成形品であっても、塗布可能な流動体であってもよい。
シール材９を設けておくことで、挿入穴４のなかで定着用雌ネジ部材２Ｂが接着材Ｖに埋もれた場合でも、接着材Ｖが定着用雌ネジ部材２Ｂの雌ネジ部６の中に浸入するのを防止でき、定着用雌ネジ部材２Ｂから吊り支持部材７をスムースに取りはずせる環境を維持できる。
【００３２】
〈５〉  防水シートＳの改修にあたって、当該固定ネジ部材設置方法によって設置された定着用雌ネジ部材２Ｂは、前述のように再利用することができるが、防水シートＳとその下のボード層１Ａの両方を改修する場合にも、定着用雌ネジ部材２Ｂを有効に利用することができる。
例えば、防水シートＳとボード層１Ｂとを撤去した状態で、定着層１Ｂに定着されている定着用雌ネジ部材２Ｂに、雄ネジ部材２Ａを下端部のみ螺合する突出状態に設ける。その上からボード層１Ｂを配置して、定着層１Ｂ側に押圧することで、雄ネジ部材２Ａの突出部分がボード層１Ｂの裏面からめり込んで表面まで貫通させることができる。従って、ボード層１Ｂを配置した上から、定着用雌ネジ部材２Ｂの位置を割り出す必要がないことに加えて、固定ネジ部材２設置用の挿通穴４をわざわざ穿孔する手間が省け、効率的に改修作業を実施できるようになる。
【００３３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３４】
１      防水下地
１Ａ    ボード層
１Ｂ    定着層
２      固定ネジ部材
２Ａ    雄ネジ部材
２Ｂ    定着用雌ネジ部材
４      挿入穴
６      雌ネジ部
７      吊り支持用ボルト（吊り支持部材の一例）
Ｓ      防水シート
Ｖ      接着材
【図１】
0006021102.tif 000002
【図２】
0006021102.tif 000003
【図３】
0006021102.tif 000004
【図４】
0006021102.tif 000005
【図５】
0006021102.tif 000006
【図６】
0006021102.tif 000007
【図７】
0006021102.tif 000008